(57)【特許請求の範囲】
【請求項１】
管路内に設置される管路内浄化装置であって、
前記管路の内壁面の一部に沿う曲面を有する湾曲部材と、
前記湾曲部材の両側縁部の間に架け渡されることにより前記管路の内部を仕切り且つ孔が穿設された仕切部材と、
前記湾曲部材の凹曲面に固定された、微生物を担持させるための担体と、
を含み、
前記湾曲部材が、前記管路内の下側の内壁面の一部に沿う曲面を有する湾曲板形状を有し、前記仕切部材が、管路空間を上側空間と下側空間に仕切る板状の部材である、管路内浄化装置。
【請求項２】
前記湾曲部材が、第１嵌合部を側縁部に有し、
前記仕切部材が、前記第１嵌合部と嵌合させられた第２嵌合部を側縁部に有する、請求項１に記載の管路内浄化装置。
【請求項３】
前記担体を保持し且つ前記凹曲面に固定された担体固定部材をさらに含み、前記担体が、前記担体固定部材を介して前記凹曲面に固定されている、請求項１または２に記載の管路内浄化装置。
【請求項４】
前記管路内に設置された場合の、前記管路の軸心に垂直な断面視において、前記管路の最下点および前記軸心を結ぶ直線に関して対向する位置に前記担体が一対配設されている、請求項１から３のいずれか１項に記載の管路内浄化装置。
【請求項５】
管路と、
前記管路の軸心方向に延在するように前記管路内に設置された、請求項１から４のいずれか１項に記載の管路内浄化装置と、
を含む、管路内浄化システム。
【請求項６】
湾曲板形状の湾曲部材を用意し、前記湾曲部材の凹曲面に、微生物を担持させるための担体を固定する担体固定工程と、
前記湾曲部材の両側縁部の間に、有孔部材を架け渡して蓋設する蓋設工程と、
を含み、
前記湾曲部材が、管路内の下側の内壁面の一部に沿う曲面を有する湾曲板形状を有し、前記有孔部材が、管路空間を上側空間と下側空間に仕切る板状の部材である、管路内浄化装置の製造方法。
【発明の詳細な説明】
【技術分野】
【０００１】
本発明は、管路内浄化装置および管路内浄化装置の製造方法に関する。より具体的には、本発明は、微生物を担持させる担体が固定された、製造容易な管路内浄化装置およびそれの製造方法に関する。
【背景技術】
【０００２】
従来、汚水は管路により下水処理施設まで移送され、汚水の浄化処理はすべて下水処理施設で行われていた。そのため、下水処理施設では、浄化用設備に伴う設備費用または設備スペースが必要であった。
【０００３】
そのため、下水処理施設の負担を軽減するために、微生物を用いて管路内で汚水を浄化する方法が提案されている。たとえば、国際公開第２０１３／１７２２８８号パンフレット（特許文献１）には、外側管渠と透水性を有する内管とからなる二重管構造を有し、且つ、二重管構造の間隙に微生物担体が充填された管渠内浄化装置が開示されている。
【先行技術文献】
【特許文献】
【０００４】
【特許文献１】国際公開第２０１３／１７２２８８号パンフレット
【発明の概要】
【発明が解決しようとする課題】
【０００５】
上記の管渠内浄化装置において、微生物担体にはキューブ状の発泡体小片が用いられており、この微生物担体は、水浄化部内の空間に、遊離状態または小径の管内に収容された状態で充填される。
【０００６】
本発明者らは、管路内の詰まり（具体的には、排水中の異物等の滞留による詰まり）を生じにくくするために、微生物担体の収容態様として、微生物担体が動かないように管路内浄化装置へ固定することに着目した。しかしながら、担体を収容するスペースは狭いため、担体を固定する時の作業性が問題となり、製造容易性に欠ける。そこで、本発明の目的は、微生物担体の固定時の作業性が良好な管路内浄化装置を提供することにある。
【課題を解決するための手段】
【０００７】
本発明者らは、合体可能な分割部材を用いて管路内浄化装置を構成することによって、上記本発明の目的が達成されることを見出し、本発明を完成するに至った。
本発明は、以下の（１）から（４）に記載の管路内浄化装置、（５）に記載の管路内浄化システム、および（６）に記載の管路内浄化装置の製造方法を含む。
【０００８】
（１）
本発明の管路内浄化装置は、管路内に設置されるべきものである。管路内浄化装置は、湾曲部材と、仕切部材と、担体とを含む。
湾曲部材は、管路の内壁面に沿う曲面を有する。仕切部材は、孔が穿設されており、湾曲部材の両側縁部の間に架け渡され、管路内の内部を仕切る。担体は、湾曲部材の凹曲面に固定される。
【０００９】
この構成により、担体が湾曲部材に固定されるため、管路内浄化装置の使用時に詰まりが生じにくい。また、仕切部材を含んで構成されていることによって、管路内浄化装置の使用時に、仕切部材より上側の管路内空間を流量確保部、仕切部材より下側の管路内空間を浄化部として機能させることができる。湾曲部材と仕切部材とが互いに独立した部材として構成されているため、湾曲部材と仕切部材との結合構造体（以下において、セパレータと記載する。）の内部の空間が狭小であるにもかかわらず、管路内浄化装置の製造時に、両部材を解離させた状態で微生物担体を固定することができる。つまり、微生物担体の固定時の作業性が良好となる。
なお、上記（１）において、担体は、湾曲部材の凹曲面に直接的に固定されてもよいし、間接的に固定されてもよい。
【００１０】
（２）
湾曲部材は、第１嵌合部を側縁部に有し、仕切部材は、第２嵌合部を側縁部に有することが好ましい。この場合、第１嵌合部と第２嵌合部とは、互いに嵌合させられている。
【００１１】
この構成により、湾曲部材と仕切部材とが嵌合により結合されるため、セパレータの構造がより安定化する。なお、湾曲部材の第１嵌合部と仕切部材の第２嵌合部との間には接着剤が介在させられていてもよい。
【００１２】
（３）
管路内浄化装置は、担体固定部材を含むことができる。この場合、担体保持部材は、担体を保持するとともに、湾曲部材の凹曲面に固定されている。したがって、担体は、担体固定部材を介して当該凹曲面に固定されている。
【００１３】
この構成により、担体が担体固定部材を介して安定的に管路内浄化装置に固定される。このため、管路内浄化装置の使用時およびメンテナンス時においても担体が剥がれにくく、より長期使用に適した管路内浄化装置となる。
【００１４】
（４）
管路内浄化装置が管路内に設置された場合の、当該管路の軸心に垂直な断面視において、当該管路の最下点および当該軸心を結ぶ直線に関して対向する位置に、担体が一対配設されていてよい。
【００１５】
この構成により、担体が収容されるセパレータ内の空間が狭小であるにもかかわらず、管路内浄化装置の製造時の担体固定作業が容易となる。また、管路内浄化装置の使用時に、浄化部内の排水量が少ない場合は担体を空気に触れさせることができ、浄化部内の排水量が多い場合は担体による浄化機能を発揮させることができる。
【００１６】
（５）
本発明の管路内浄化システムは、管路と、当該管路の軸心方向に延在するように当該管路内に設置された、（１）から（４）に記載の管路内浄化装置と、を含む。
【００１７】
この構成により、担体が湾曲部材に固定されるため、管路内浄化装置の使用時に詰まりが生じにくい。また、仕切部材を含んで構成されていることによって、管路内浄化装置の使用時に、仕切部材より上側の管路内空間を流量確保部、仕切部材より下側の管路内空間を浄化部として機能させることができる。さらに、湾曲部材と仕切部材とが互いに独立した部材として構成されているため、セパレータの内部の空間が狭小であるにもかかわらず、管路内浄化装置の製造時に、両部材を解離させた状態で微生物担体を固定することができる。つまり、微生物担体の固定時の作業性が良好となる。また、セパレータが基本的に閉断面構造をとるため、変形耐性に優れる。
【００１８】
（６）
本発明の管路内浄化装置の製造方法は、担体固定工程と、蓋設工程とを含む。蓋設工程は、担体固定工程の後に行われる。担体固定工程では、湾曲板形状の湾曲部材を用意し、当該湾曲部材の凹曲面に、微生物を担持させるための担体を固定する。蓋設工程では、湾曲部材の両側縁部の間に、有孔部材を架け渡して蓋設する。
【００１９】
この構成により、互いに独立した部材である湾曲部材と有孔部材（仕切部材）とを用いるため、微生物担体がセパレータ内の狭小な空間内に固定された管路内浄化装置を容易に製造することができる。つまり、両部材を解離させた状態で微生物担体を固定することができるため、微生物担体の固定時の作業性が良好となる。
なお、有孔部材は、管路内浄化装置の使用時には、管路内空間を上側と下側とで仕切る仕切部材を成し、当該上側の管路内空間を流量確保部、当該下側の管路内空間を浄化部として機能させることができる。
【図面の簡単な説明】
【００２０】
【図１】第１実施形態の管路内浄化装置を用いた管路内浄化システムを模式的に示した一部切欠き図である。
【図２】図１の管路内浄化装置（一部）の模式的外観斜視図である。
【図３】図１の管路内浄化装置（一部）の分解斜視図である。
【図４】図２のIV−IV線を含む面で切断した場合の模式的断面図である。
【図５】図３の担体固定部材の模式的外観斜視図である。
【図６】第１変形例の管路内浄化装置の模式的断面図である。
【図７】図６の担体固定部材の模式的外観斜視図である。
【図８】第２変形例の管路内浄化装置の模式的断面図である。
【図９】図８の担体固定部材の模式的外観斜視図である。
【図１０】第３変形例の管路内浄化装置の模式的断面図である。
【図１１】図１０の担体固定部材の模式的外観斜視図である。
【図１２】第４変形例の管路内浄化装置の模式的断面図である。
【図１３】図１２の担体固定部材の模式的外観斜視図である。
【図１４】第５変形例の管路内浄化装置の模式的断面図である。
【図１５】図１４の担体固定部材の模式的外観斜視図である。
【図１６】第６変形例の管路内浄化装置の模式的断面図である。
【図１７】図１６の担体固定部材の模式的外観斜視図である。
【図１８】第７変形例の管路内浄化装置の模式的断面図である。
【図１９】図１８の担体固定部材の模式的外観斜視図である。
【図２０】第８変形例の管路内浄化装置の模式的断面図である。
【図２１】図２０の担体固定部材の模式的外観斜視図である。
【図２２】第２実施形態の管路内浄化装置の模式的断面図である。
【図２３】第３実施形態の管路内浄化装置の模式的断面図である。
【図２４】図２３の担体固定部材の模式的外観斜視図である。
【図２５】第４実施形態の管路内浄化装置の模式的断面図である。
【図２６】図２５の担体固定部材の模式的外観斜視図である。
【図２７】第５実施形態の管路内浄化装置の模式的断面図である。
【図２８】第６実施形態の管路内浄化装置の模式的断面図である。
【図２９】第７実施形態の管路内浄化装置の模式的断面図である。
【図３０】第８実施形態の管路内浄化装置の模式的断面図である。
【図３１】第９実施形態の管路内浄化装置の模式的断面図である。
【発明を実施するための形態】
【００２１】
以下、図面を参照しつつ、本発明の実施の形態について説明する。以下の説明では、同一の要素には同一の符号を付しており、それらの名称および機能も同じである。したがって、それらについての詳細な説明は繰り返さない。
【００２２】
［第１実施形態］
図１は、第１実施形態の管路内浄化装置を用いた管路内浄化システムを模式的に示した一部切欠き図である。図２は、図１の管路内浄化装置（一部）の模式的外観斜視図である。図３は、図１の管路内浄化装置（一部）の分解斜視図である。図４は、図２のIV−IV線を含む面で切断した場合の模式的断面図である。なお、以下においては、便宜上、図４の上側への方向を上、下側への方向を下として説明する。これらの方向は、管路内浄化装置の使用時における絶対的方向におおよそ一致するが、必ずしも管路内浄化装置の製造時における絶対的方向をいうものではない。
【００２３】
［基本構成］
図１に示す管路内浄化システム９００は、管路９１０と、管路９１０内に設けられた管路内浄化装置１００とを含む。図２から図４に示すように、セパレータ２００と、担体固定部材３００と、微生物を担持すべき担体４００とを含む。
【００２４】
セパレータ２００は、管路９１０（図１参照）の軸心方向に延在する、一定の断面形状を有する長尺体である。セパレータ２００の当該軸心方向の長さは、管路９１０の長さに対応する。（図２および図３においては、便宜上、この長尺体の一部を表示している。）図２および図４に示すように、セパレータ２００は、湾曲部材２１０と仕切部材２５０とから構成される。湾曲部材２１０と仕切部材２５０とは、両側縁部（つまり左右両側縁部）同士で結合されている。図４に示すように、セパレータ２００の断面形状は、管路９１０の軸心Ｏと管路９１０の最下点を通る直線を軸として線対称である。かつ、セパレータ２００は、透水孔２５４（後述）を有する部分を除き、閉断面を有するように構成されている。
【００２５】
［湾曲部材および仕切部材］
湾曲部材２１０は、図４に示すように、凹曲面２１１と、凸曲面２１２と、嵌合部２１７とを有する。
凹曲面２１１および凸曲面２１２はいずれも断面円弧状であり、湾曲板形状を構成する。凹曲面２１１には、担体４００が担体固定部材３００を介して固定されている（後述）。凸曲面２１２は、管路９１０の内壁面の一部に沿う。これによって、セパレータ２００を管路９１０内壁面に沿って設置することができる。
【００２６】
嵌合部２１７は、湾曲部材２１０の左右両側部において、セパレータ２００の延在方向に並行して列設される。嵌合部２１７は、凹曲面２１１に突設された雄型に形成されており、後述の仕切部材２５０の嵌合部２５７に嵌着させられている。嵌合部２１７がこのように構成されることにより、セパレータ２００が管路９１０の内壁に沿いやすい。
【００２７】
仕切部材２５０は、透水孔２５４（後述）が形成された変形板状の有孔部材である。仕切部材２５０は、図４に示すように、管路内浄化装置１００が管路９１０内に設けられた場合に、管路９１０内の空間を、下部の浄化部９１１と上部の流量確保部９１５とに分ける。仕切部材２５０は、左右両側部より中央部（つまり対象軸上の部分）が下位となる形状で構成される。本実施形態においては、仕切部材２５０は、対称軸上に流速確保部２５１を有し、対象軸に近い方から遠い方に向かって、一対の平面部２５３、一対の傾斜部２５５、および一対の嵌合部２５７がこの順で形成されている。一対の平面部２５３、一対の傾斜部２５５、および一対の嵌合部２５７は、それぞれ、セパレータ２００の延在方向に並行して列設される。
【００２８】
仕切部材２５０の中央部の最も低い部分を構成する流速確保部２５１は、図４に示すように、下に凸となるように湾曲している。このような湾曲形状により、管路内の少量排水時における流速を確保する。
【００２９】
平面部２５３には、図４に示すように、透水孔２５４が穿設されている。透水孔２５４は、流量確保部９１５内の排水が流速確保部２５１の容量を超えた場合に、浄化部９１１へ排水を排出する。透水孔２５４は、セパレータ２００の延在方向に沿って複数設けられている（図１参照）。これにより、セパレータ２００に透水性を付与する。また、平面部２５３は水平方向に平坦であるため、製造時において、透水孔２５４の穿設の作業性が良い。
【００３０】
傾斜部２５５は、図４に示すように、平面部２５３から管路９１０内壁に向かい、当該内壁面に漸次沿う形状で立ち上がるように形成される。これによって、流量確保部９１５内の排水を浄化部９１１へ導きやすいとともに、仕切部材２５０と管路９１０内壁との間に詰まりが生じることも防止しやすい。なお、本実施形態では、傾斜部２５５の形状は平坦であるが、図４に示した傾斜部２５５の平坦面より下方向に凸となるように、平面部２５３から滑らかに連続する湾曲形状を有する湾曲傾斜であってもよい。
【００３１】
嵌合部２５７は、雌型に形成されており、前述の湾曲部材２１０の嵌合部２１７に嵌着している。なお、本実施形態では、嵌合部２１７と嵌合部２５７とは、構造上、着脱可能な形状に構成されている。このため、湾曲部材２１０と仕切部材２５０との結合には接着剤を必要としない。しかし、本実施形態では、湾曲部材２１０と仕切部材２５０との結合に接着剤を補助的に用いることを特に除外しない。湾曲部材２１０と仕切部材２５０との間に接着剤を介することで、より安定的に結合させることができる。
【００３２】
湾曲部材２１０および仕切部材２５０が上述のように構成されることにより、セパレータ２００は、図４に示すように、管路９１０内に設けられた場合に、管路９１０内部空間の中心よりも下側の一部を占めるように形成される。つまり、セパレータ２００の最上点が、管路９１０の軸心Ｏの水平位置から落差Ｅを隔てて下に位置するように形成される。落差Ｅを隔てることにより、管路９１０内への設置が容易となる。
【００３３】
上述のように、本発明のセパレータ２００は、透水孔２５４を有する部分を除いて閉断面を有するように構成されている、このため、本発明のセパレータ２００は変形耐性に優れる。このことから、セパレータ２００は変形耐性を維持しつつも、比較的薄肉で形成されることができる。
【００３４】
湾曲部材２１０および仕切部材２５０は、いずれも樹脂で構成されることができる。この場合、湾曲部材２１０および仕切部材２５０それぞれを構成する樹脂の同異は問わない。樹脂の例としては、塩化ビニル系樹脂、オレフィン系樹脂などの熱可塑性樹脂、エポキシ系樹脂、不飽和ポリエステル系樹脂などの熱硬化性樹脂が挙げられる。樹脂は、ガラス繊維、カーボン繊維などの繊維材料で強化された、複合材つまりＦＲＰ（繊維強化プラスチック）の態様であってもよい。
湾曲部材２１０および仕切部材２５０は、種類に応じた製造方法が選択される。たとえば、熱可塑性樹脂の押出成形によって製造することができる。この場合、出口形状が湾曲部材２１０および仕切部材２５０それぞれの断面形状と同一である金型を用いた押出成形により製造することができる。またたとえば、熱硬化性樹脂およびＦＲＰの場合、ハンドレイアップ法、引き抜き成形法などによって製造することができる。
【００３５】
［担体固定部材］
担体固定部材３００は、図２から図４に示すように、セパレータ２００を構成する湾曲部材２１０の、凹曲面２１１に固定される。本実施形態においては、図３から図５に示すように、担体固定部材３００は、一体成形された保持部３１０と固定部３２０とを含む。
【００３６】
保持部３１０と固定部３２０とは、変形矩形状の閉断面を構成するように形成されている。保持部３１０は、担体４００の外表面（本実施形では、上面と左右両側面）を覆うように保持する。固定部３２０は、保持部３１０の下部に設けられ、担体４００の下面全体を覆うとともにセパレータ２００の凹曲面２１１に沿った形状の固定曲面３２１を有する。このような閉断面構造により、担体４００がその外表面全体の方向から保持を受けるため、安定的な保持が可能である。
【００３７】
担体固定部材３００は、浄化部９１１空間内の最狭部の高さＮを確保できる位置で固定される。浄化部９１１空間内の最狭部の高さＮを確保することは、担体固定部材３００と仕切部材２５０との間での詰まりを防止する観点で好ましい。
【００３８】
保持部３１０の奥行（セパレータ２００の延在方向の長さ）は、担体４００を良好に保持する観点、担体４００の表面の露出部分を確保する観点などから適宜設定される。本実施形態では、当該奥行きは、管路９１０の内周の直径の４％で構成される。
なお、担体固定部材３００はその全体において、同一の奥行を有してよい。
【００３９】
固定曲面３２１はセパレータ２００の湾曲部材２１０の凹曲面２１１に沿った形状を有し、当該凹曲面２１１に接して固定される。固定曲面３２１を設けることにより、凹曲面２１１への接地面積を十分にとることができる。固定曲面３２１は、セパレータ２００表面との間に接着剤を介して固定される。
【００４０】
管路９１０の軸心方向において、担体固定部材３００が設けられる箇所および間隔は特に限定されない。たとえば、１本の管路９１０に対し、軸心方向両端部の２箇所、当該両端部と中央部との３箇所、またはそれ以上の箇所で設けられてよい。
【００４１】
担体固定部材３００は、樹脂で構成されることができる。樹脂の例としては、塩化ビニル系樹脂およびオレフィン系樹脂などの熱可塑性樹脂、および、エポキシ系樹脂および不飽和ポリエステル系樹脂などの熱硬化性樹脂などが挙げられる。樹脂は、ガラス繊維、カーボン繊維などの繊維材料で強化された、複合材つまりＦＲＰ（繊維強化プラスチック）の態様であってもよい。また、担体固定部材３００は、セパレータ２００と同じ材料で構成されてもよいし、異なっていてもよい。担体固定部材３００は、射出成形によって製造することができる。また、ＦＲＰの場合、ハンドレイアップ法、レジントランスファー成形法（RTM）法などによって製造することができる。
【００４２】
担体固定部材３００は、固定曲面３２１と凹曲面２１１との間に接着剤を介することにより、セパレータ２００の湾曲部材２１０に固定される。接着剤は、湾曲部材２１０の材質と担体固定部材３００の材質とを考慮し、当業者が適宜決定することができる。たとえば、スチレン−ブタジエンを主成分とするゴム質接着剤、溶剤系接着剤などが挙げられる。
【００４３】
［担体］
図１および図３に示すように、担体４００は、管路９１０の軸心方向に延在する幅広の長尺体である。担体４００の当該軸心方向の長さは、管路９１０の長さに対応する。担体４００としては、比表面積が大きい構造体を特に限定されることなく用いられる。たとえば、多孔質材料（たとえば、無機質多孔体、無機質発泡体、樹脂発泡体など）、繊維質材料（たとえば、織布、不織布、単繊維体、網状体など）、層状材料（たとえば、シート積層体など）が挙げられる。多孔質材料の微細孔は連続孔であることが好ましい。本実施形態では、樹脂の発泡体が用いられる。樹脂としては、オレフィン系樹脂（特にポリエチレン）、ウレタン樹脂、塩化ビニル系樹脂、アクリル系樹脂などが挙げられる。
【００４４】
担体４００の形状は、担体固定部材３００で保持可能な形状であればよく、本実施形態においては断面長方形の長尺体である。本実施形態では担体４００が発泡体樹脂であるため、担体４００の断面形状の大きさは、担体固定部材３００の保持部３１０の内部よりやや大きくなるように設計されてよい。この場合、担体固定部材の保持部３１０で保持された場合に、担体４００が撓み保持部３１０内で縮小変形するため、担体４００が安定的に保持部３１０に保持される。なお、担体４００と担体固定部材３００との間に接着剤を介することで、より安定的に固定することができる。
【００４５】
担体４００は、たとえば、縮小変形させて担体固定部材３００の内部にねじ入るようにセットされた後、担体固定部材３００の固定曲面３２１を湾曲部材２１０の凹曲面２１１へ接地させることによって、担体固定部材３００を介して湾曲部材２１０へ安定的に固定することができる。本実施形態においては、担体固定部材３００が設けられた場所で、担体４００と湾曲部材２００との間に接着剤を介することで、より安定的に固定することができる。また、担体固定部材３００が設けられていない場所で、担体４００と湾曲部材２００との間に接着剤を介することで、より安定的に固定してもよい。
【００４６】
管路９１０内における担体４００の大きさ（図４中の幅ｗおよび高さｈ）は、浄化効率、および浄化部９１１内での担体固定部材３００に許容される大きさを考慮して決定することができる。本実施形態では、幅ｗは、管路９１０の内周長の１０％であり、高さｈは、管路９１０の内周長の２％である。
【００４７】
管路９１０内において、担体４００は、軸心Ｏと管路９１０の最下位置とを結ぶ面に関して対向して配設される。管路９１０内における担体４００の配設位置は、浄化効率などを考慮して決定することができる。たとえば、担体４００の離間距離ｉが、管路９１０の内周の１０％以上４０％以下となるように配設されてよい。離間距離ｉが当該下限値以上であることは、浄化部９１１の水位が低い場合であっても浄化部９１１内の流速を確保する点、担体４００を空気に接触させる点、および詰まり防止の点などから好ましく、当該上限値以下であることは、水位が上がった場合に担体４００を排水に有効に接触させ、良好な浄化効率を得る観点で好ましい。
【００４８】
［管路内浄化装置の製造］
管路内浄化装置１００は、担体固定工程と、その後に行われる蓋設工程とを経て製造される。
担体固定工程では、湾曲板形状の湾曲部材２１０を用意し、当該湾曲部材２１０の凹曲面２１１に、担体４００を固定する。湾曲部材２１０は、押出成形などの当業者によって適宜選択される方法により用意されてよい。
【００４９】
担体４００を固定するためには、たとえば、まず、担体固定部材３００に担体４００を保持させ、その後、担体４００が保持された状態の担体固定部材３００を、接着剤を用いて凹曲面２１１に固定してもよい。あるいは、まず、担体固定部材３００を、接着剤を用いて凹曲面２１１に固定し、その後、凹曲面２１１に固定された状態の担体固定部材３００に担体４００を保持させてもよい。なお、担体固定部材３００も、射出成形などの当業者によって適宜選択される方法により用意されてよい。
【００５０】
蓋設工程では、湾曲部材２１０の両側縁部の間に、有孔部材つまり仕切部材２５０を架け渡して蓋設する。この場合、湾曲部材の両側縁部に設けられた嵌合部２１７と、有孔部材つまり仕切部材２５０の両側縁部に設けられた嵌合部２５７とを互いに嵌合係止させる。なお、有孔部材つまり仕切部材２５０も、押出成形などの当業者によって適宜選択される方法により用意されてよい。
【００５１】
製造された管路内浄化装置１００は、管路９１０内に設置される（図１参照）ことにより、管路内浄化システム９００を構成する。湾曲部材２１０の凹曲面２１１が有孔部材つまり仕切部材２５０により遮蔽されるため、管路９１０空間が、下部の浄化部９１１と上部の流量確保部９１５とに仕切られる。
【００５２】
管路内浄化システム９００を始動させる場合、管路９１０内に排水を流し、浄化部９１１内の担体４００に排水を接触させる。これによって、担体４００表面にバイオフィルムを形成させる。担体４００は、上述のように比表面積が大きいため、バイオフィルムを効率よく形成させることができる。このバイオフィルムと排水とが接触することにより、バイオフィルム中の有用微生物が排水を浄化する。また、浄化部９１１内の排水位が上下することにより、担体４００に付着したバイオフィルムは排水中へ浸漬するだけでなく、空気とも接触することができる。したがって、有用微生物である好気性微生物も有効に増殖させることができる。
【００５３】
［変形例］
以下、担体固定部材３００の変形形状を有する第１変形例から第８変形例について説明する。これら変形例においては、主に第１実施形態と異なる点について説明し、同じ点については説明を省略する。
【００５４】
［第１変形例］
図６は、第１変形例の管路内浄化装置の模式的断面図であり、第１実施形態の図４に対応する。図７は、図６の担体固定部材の模式的外観斜視図であり、第１実施形態の図５に対応する。
【００５５】
図６に示す管路内浄化装置１００ａは、セパレータ２００（湾曲部材２１０および仕切部材２５０）と、担体固定部材３００ａと、担体４００とを含む。図６および図７に示すように、担体固定部材３００ａは、一体成形された保持部３１０ａと固定部３２０ａとを含み、断面が変形部分矩形状の開断面となるように形成されている。
【００５６】
保持部３１０ａは、担体４００の外表面（本変形例では、上面と片方側面）を覆うように保持する。保持部３１０ａには、担体４００側へ突出する保持突起３１１ａを有する。保持突起３１１ａは、担体４００へ食い込んで押さえつけることにより、担体４００をより安定的に保持する。本変形例では、保持突起３１１ａは四角錘形状を有するが、担体４００へ食い込む形状であればどのような形状であってもよく、先細り部分を有する形状（たとえば、三角柱、錐体）であることが好ましい。
【００５７】
なお、保持突起３１１ａは、固定部３２０ａに設けられ、固定部３２０ａから担体４００側へ突出するように形成されていてもよい。さらに、保持突起３１１ａは、保持部３１０ａと固定部３２０ａの両方に設けられてもよい。後述の他の変形例においても同様である。
【００５８】
固定部３２０ａは、保持部３１０ａの下部に設けられ、担体４００の下面の一部を覆うとともに、湾曲部材２１０の凹曲面２１１に沿った形状の固定曲面３２１ａを有する。
【００５９】
担体４００は、たとえば、担体固定部材３００ａの保持部３１０ａと固定部３２０ａとの間に挟み入るようにセットされた後、担体固定部材３００ａの固定曲面３２１ａを湾曲部材２１０の凹曲面２１１へ接地させることによって、担体固定部材３００ａを介して湾曲部材２１０へ安定的に固定することができる。
【００６０】
［第２変形例］
図８は、第２変形例の管路内浄化装置の模式的断面図であり、第１実施形態の図４に対応する。図９は、図８の担体固定部材の模式的外観斜視図であり、第１実施形態の図５に対応する。
【００６１】
図８に示す管路内浄化装置１００ｂは、セパレータ２００（湾曲部材２１０および仕切部材２５０）と、担体固定部材３００ｂと、担体４００とを含む。図８および図９に示すように、担体固定部材３００ｂは、一体成形された保持部３１０ｂと固定部３２０ｂとを含み、断面が変形部分矩形状の開断面となるように形成されている。
【００６２】
保持部３１０ｂは、担体４００の外表面（本変形例では、上面と片方の側面）を覆うように保持する。保持部３１０ｂには保持突起３１１ａが複数形成されており、担体４００をより安定的に保持する。固定部３２０ｂは、保持部３１０ｂの下部に設けられ、担体４００の下面全体を覆うとともに湾曲部材２１０の凹曲面２１１に沿った形状の固定曲面３２１ｂを有する。
【００６３】
担体４００は、たとえば、担体固定部材３００ｂの保持部３１０ｂと固定部３２０ｂとの間を押し広げ、その間に挟み入るようにセットされた後、担体固定部材３００ｂの固定曲面３２１ｂを湾曲部材２１０の凹曲面２１１へ接地させることによって、担体固定部材３００ｂを介して湾曲部材２１０へ安定的に固定することができる。
【００６４】
［第３変形例］
図１０は、第３変形例の管路内浄化装置の模式的断面図であり、第１実施形態の図４に対応する。図１１は、図１０の担体固定部材の模式的外観斜視図であり、第１実施形態の図５に対応する。
【００６５】
図１０に示す管路内浄化装置１００ｃは、セパレータ２００（湾曲部材２１０および仕切部材２５０）と、担体固定部材３００ｃと、担体４００とを含む。図１０および図１１に示すように、担体固定部材３００ｃは保持部３１０ｃと固定部３２０ｃとを有する。保持部３１０ｃと固定部３２０ｃとは、一体成形されている。
【００６６】
保持部３１０ｃは、図１０および図１１に示すように、断面が変形部分矩形状の開断面となるように形成されており、担体４００の外表面の少なくとも一部（本変形例では、上面と左右両側面）を覆うように保持する。保持部３１０ｃには保持突起３１１ａが形成されており、担体４００をより安定的に保持する。
【００６７】
固定部３２０ｃは、担体固定部材３００ｃの湾曲部材２１０への固定に寄与する。固定部３２０ｃは、固定曲面３２１ｃ，３２１ｃ’と固定面３２５ｃとを有する。
このうち、固定曲面３２１ｃ，３２１ｃ’は湾曲部材２１０の凹曲面２１１に沿った形状を有し、当該凹曲面２１１に接して固定される。固定曲面３２１ｃは保持部３１０ｃよりも対称軸から遠い方へ延設されることで、凹曲面２１１への接地面積を十分確保する。固定曲面３２１ｃ’は、保持部３１０ｃの下部に設けられ、担体４００の下面の一部を覆うとともに凹曲面２１１へ接地する。これにより、担体固定部材３００ｃを介した湾曲部材２１０への担体４００の固定を補助する。
【００６８】
固定面３２５ｃは、仕切部材２５０（本実施形態では、平面部２５３と傾斜部２５５の境界付近）に沿った形状を有し、仕切部材２５０に接して固定されることにより、固定曲面３２１ｃ，３２１ｃ’による固定を補助する。
【００６９】
［第４変形例］
図１２は、第４変形例の管路内浄化装置の模式的断面図であり、第１実施形態の図４に対応する。図１３は、図１２の担体固定部材の模式的外観斜視図であり、第１実施形態の図５に対応する。
【００７０】
図１２に示す管路内浄化装置１００ｄは、セパレータ２００（湾曲部材２１０および仕切部材２５０）と、担体固定部材３００ｄと、担体４００とを含む。図１２および図１３に示すように、担体固定部材３００ｄは、保持部３１０ｄと固定部３２０ｄとを含む。
【００７１】
保持部３１０ｄと固定部３２０ｄとは、互いに独立した部材片であり、組み合わされることによって、変形矩形状の閉断面を構成するように形成されている。保持部３１０ｄは、担体４００の外表面（本変形例では、おおよそ上面のみ）を覆うように保持する。保持部３１０ｄには保持突起３１１ａが複数形成されており、担体４００をより安定的に保持する。固定部３２０ｄは、担体の４００の外表面の左右両側面を覆い且つ下面を受ける形状で形成され、湾曲部材２１０の凹曲面２１１に沿った形状の固定曲面３２１ｄを有する。
【００７２】
保持部３１０ｄと固定部３２０ｄとの一端部は互いに回動自由（矢印Ｒ方向）に軸着されており、他端部は互いに係止可能なように形成されている。これにより、担体固定部材３００ｄは、図１３（ａ）に示す閉鎖状態と図１３（ｂ）に示す開放状態とが自在である。担体４００は、たとえば、担体固定部材３００ｄを開放状態にしてセットし、閉鎖の後、担体固定部材３００ｄの固定曲面３２１ｄを湾曲部材２１０の凹曲面２１１へ接地させることによって、担体固定部材３００ｄを介して湾曲部材２１０へ安定的に固定することができる。
【００７３】
［第５変形例］
図１４は、第５変形例の管路内浄化装置の模式的断面図であり、第１実施形態の図４に対応する。図１５は、図１４の担体固定部材の模式的外観斜視図であり、第１実施形態の図５に対応する。
【００７４】
図１４に示す管路内浄化装置１００ｅは、セパレータ２００（湾曲部材２１０および仕切部材２５０）と、担体固定部材３００ｅと、担体４００とを含む。図１４および図１５に示すように、担体固定部材３００ｅは、保持部３１０ｅと固定部３２０ｅとを含む。
【００７５】
保持部３１０ｅと固定部３２０ｅとは、いずれも湾曲形状の、互いに独立した部材片であり、組み合わされることによって、木の葉状の閉断面を構成するように形成されている。保持部３１０ｅは、上側に凸となる湾曲断面を有するように構成されており、担体４００の外表面（本変形例では、少なくとも上面）を覆うように保持する。固定部３２０ｅは、保持部３１０ｅの下部に設けられ、担体４００の少なくとも下面全体を覆うとともに湾曲部材２１０の凹曲面２１１に沿った形状の固定曲面３２１ｅを有する。保持部３１０ｅには保持突起が形成されていないが、保持部３１０ｅの湾曲形状により担体４００が上方から当該湾曲形状に押しつぶすように変形されて保持されるため、安定的な保持が可能である。
【００７６】
保持部３１０ｅと固定部３２０ｅとの一端部は互いに回動自由（矢印Ｒ方向）に軸着されており、他端部は互いに係止可能なように形成されている。担体４００は、たとえば、担体固定部材３００ｅを開放状態にしてセットし、閉鎖の後、担体固定部材３００ｅの固定曲面３２１ｅを湾曲部材２１０の凹曲面２１１へ接地させることによって、担体固定部材３００ｅを介して湾曲部材２１０へ安定的に固定することができる。
【００７７】
［第６変形例］
図１６は、第６変形例の管路内浄化装置の模式的断面図であり、第１実施形態の図４に対応する。図１７は、図１６の担体固定部材の模式的外観斜視図であり、第１実施形態の図５に対応する。
【００７８】
図１６に示す管路内浄化装置１００ｆは、セパレータ２００（湾曲部材２１０および仕切部材２５０）と、担体固定部材３００ｆと、担体４００とを含む。図１６および図１７に示すように、担体固定部材３００ｆは、保持部３１０ｆと固定部３２０ｆとを含む。
【００７９】
保持部３１０ｆと固定部３２０ｆとは、いずれも湾曲形状の、互いに完全独立した部材片であり、組み合わされることによって、変形矩形状の閉断面を構成するように形成されている。保持部３１０ｆは、担体４００の外表面（本実施形態では、おおよそ上面のみ）を覆うように保持する。保持部３１０ｆには保持突起３１１aが複数形成されており、担体４００をより安定的に保持する。固定部３２０ｆは、担体の４００の外表面の左右両側面を覆い且つ下面を受ける形状で形成され、セパレータ２００の凹曲面２１１に沿った形状の固定曲面３２１ｆを有する。
【００８０】
保持部３１０ｆと固定部３２０ｆとには、それぞれ係止部が形成されている。それぞれの係止部は、互いに嵌合係止可能な形状に形成されている。保持部３１０ｆと固定部３２０ｆとは、係止部が嵌合係止することにより、閉鎖状態の担体固定部材３００ｆを構成する。係止部が着脱可能であれば、保持部３１０ｆと固定部３２０ｆとは、閉鎖状態および開放状態が自在である。担体４００は、たとえば、担体固定部材３００ｆを開放状態にしてセットし、閉鎖の後、担体固定部材３００ｆの固定曲面３２１ｆをセパレータ２００の凹曲面２１１へ接地させることによって、担体固定部材３００ｆを介してセパレータ２００へ安定的に固定することができる。
【００８１】
［第７変形例］
図１８は、第７変形例の管路内浄化装置の模式的断面図であり、第１実施形態の図４に対応する。図１９は、図１８の担体固定部材の模式的外観斜視図であり、第１実施形態の図５に対応する。
【００８２】
図１８に示す管路内浄化装置１００ｇは、セパレータ２００（湾曲部材２１０および仕切部材２５０）と、担体固定部材３００ｇと、担体４００ｇとを含む。図１９に示す担体固定部材３００ｇは、保持部３１０ｇに形成された保持突起３１１ｇの形状が円柱形であることを除いて、第３変形例の担体固定部材３００ｃと同じであるが、保持突起３１１ｇは、第１，２，４，６変形例においても保持突起３１１ａのかわりに同様に適用できる。
【００８３】
担体４００ｇには保持突起３１１ｇの形状に応じた断面円形の孔が穿設されている。円柱状の保持突起３１１ｇが担体４００ｇの孔に嵌合することにより、担体４００ｇが担体固定部材３００ｇに安定的に保持される。
【００８４】
［第８変形例］
図２０は、第８変形例の管路内浄化装置の模式的断面図であり、第１実施形態の図４に対応する。図２１は、図２０の担体固定部材の模式的外観斜視図であり、第１実施形態の図５に対応する。
【００８５】
図２０に示す管路内浄化装置１００ｈは、セパレータ２００（湾曲部材２１０および仕切部材２５０）と、担体固定部材３００ｈと、担体４００ｈとを含む。図２１に示す担体固定部材３００ｈは、保持部３１０ｈに形成された保持突起３１１ｈの形状が異なることを除いて、第３変形例の担体固定部材３００ｃと同じであるが、保持突起３１１ｈは、第１，２，４，６変形例においても保持突起３１１ａのかわりに同様に適用できる。
【００８６】
保持突起３１１ｈは、一対の板状突起として構成される。担体４００ｈには、保持突起３１１ｈの形状に応じた断面矩形の孔が穿設されている。保持突起３１１ｈが担体４００ｈの孔壁に沿うように挿入されることにより、担体４００ｈが担体固定部材３００ｈに安定的に保持される。
【００８７】
［他の実施例］
以下、湾曲部材２１０の形状が異なる第２実施形態および第３実施形態と、担体４００の固定態様が異なる第４実施形態から第６実施形態と、仕切部材２５０の形状が異なる第７実施形態と、湾曲部材２１０および仕切部材２５０の結合態様が異なる第８実施形態および第９実施形態とについて説明する。これら実施形態においては、主に第１実施形態と異なる点について説明し、同じ点については説明を省略する。
【００８８】
［第２実施形態］
図２２は、第２実施形態の管路内浄化装置の模式的断面図であり、第１実施形態の図４に対応する。図２２に示す管路内浄化装置１００iは、セパレータ２００i（湾曲部材２１０iおよび仕切部材２５０）と、担体固定部材３００と、担体４００とを含む。図２２に示す湾曲部材２１０iは、凹曲面２１１iに支持部２１８iが突設されていることを除いて、第１実施形態の湾曲部材２１０と同じである。
【００８９】
支持部２１８iは、対象軸に対して対称な形状を有する一対の突条であり、セパレータ２００iの延在方向に並行して列設されている。一対の支持部２１８iは、一対の担体４００が所定の離間距離ｉをもって配設される位置に形成されている。担体固定部材３００が固定されている位置においては、支持部２１８iは、担体固定部材３００の下方端面３１８を衝止することによって支持する。担体固定部材３００が固定されておらず担体４００が露出している位置においては、支持部２１８iは、担体４００の一端を衝止することによって支持してよい。これによって、担体４００を安定的に配設することができる。
【００９０】
なお、本実施形態における湾曲部材２１０iは、上記の第１実施形態において湾曲部材２１０の代わりに適用されてもよい。
また、本実施形態では、担体固定部材として第１実施形態の担体固定部材３００を挙げて説明したが、上記の第１から第８変形例の担体固定部材３００ａ，３００ｂ，３００ｃ，３００ｄ，３００ｅ，３００ｆ，３００ｇ，３００ｈなどを代わりに適用してもよい。
【００９１】
［第３実施形態］
図２３は、第３実施形態の管路内浄化装置の模式的断面図であり、第１実施形態の図４に対応する。図２４は、図２３の担体固定部材の模式的外観斜視図であり、第１実施形態の図５に対応する。
【００９２】
図２３に示す管路内浄化装置１００ｊは、セパレータ２００ｊ（湾曲部材２１０ｊおよび仕切部材２５０）と、担体固定部材３００ｊと、担体４００とを含む。図２３に示す湾曲部材２１０ｊは、凹曲面２１１ｊに支持部２１８ｊ，２１８ｊ’が突設されていることを除いて、第１実施形態の湾曲部材２１０と同じである。図２４に示す担体固定部材３００ｊは、被支持部３０８ｊ，３０８ｊ’が突設されていることを除いて、第１実施形態の担体固定部材３００と同じである。
【００９３】
支持部２１８ｊは、対象軸に対して対称な形状を有する一対の突条であり、セパレータ２００ｊの延在方向に並行して列設されている。一対の支持部２１８ｊは、一対の担体４００が所定の離間距離ｉをもって配設される位置に形成されている。さらに、支持部２１８ｊは、担体固定部材３００ｊの下方端面３１８ｊに突設された被支持部３０８ｊと嵌合可能な形状に構成されている。支持部２１８ｊは、被支持部３０８ｊを嵌合係止することにより、担体固定部材３００ｊを支持する。
【００９４】
支持部２１８ｊ’も、対象軸に対して対称な形状を有する一対の突条であり、セパレータ２００ｊの延在方向に並行して列設されている。一対の支持部２１８ｊ’はそれぞれ、支持部２１８ｊから、担体４００の所定の幅ｗに対応する距離を隔てた位置に形成されている。さらに、支持部２１８ｊ’は、担体固定部材３００ｊの上方端面３１８ｊ’に突設された被支持部３０８ｊ’と嵌合可能な形状に構成されている。支持部２１８ｊ’は、被支持部３０８ｊ’を嵌合係止することにより、担体固定部材３００ｊを補助的に支持する。
【００９５】
さらに、担体固定部材３００ｊが固定されておらず担体４００が露出している位置においては、支持部２１８ｊ，２１８ｊ’の間に担体４００が支持されてよい。これによって、担体４００を安定的に配設することができる。
【００９６】
本実施形態では、支持部２１８ｊと被支持部３０８ｊ、および、支持部２１８ｊ’と被支持部３０８ｊ’は、構造上、着脱可能な形状に構成されている。このため、湾曲部材２１０ｊへの担体固定部材３００ｊの固定には接着剤を必要としない。しかし、本実施形態では、湾曲部材２１０ｊへの担体固定部材３００ｊの固定に接着剤を補助的に用いることを特に除外しない。
【００９７】
なお、本実施形態では、担体固定部材３００ｊの形状を第１実施形態の担体固定部材３００の形状をベースにしたが、上記の第３から第８変形例の担体固定部材３００ｃ，３００ｄ，３００ｅ，３００ｆ，３００ｇ，３００ｈなどをベースにした形状であってもよい。
【００９８】
また、湾曲部材と担体固定部材とを嵌合させる場所は、上述のような、湾曲部材２１０ｊの凹曲面と担体固定部材の側面（つまり下方端面３１８ｊおよび上方端面３１８ｊ’）との間に限られない。他にも、湾曲部材と担体固定部材とを嵌合させる場所は、湾曲部材の凹曲面と担体固定部材の固定曲面との間であってもよい。たとえば、湾曲部材が、凹曲面に、管路の軸方向に凹設された嵌合凹条を有する一方、担体固定部材が、固定曲面に、嵌合凸部を有するように構成される場合、当該嵌合凹条と当該嵌合凸部とを嵌合させることにより固定してもよい。あるいは、湾曲部材が、凹曲面に、管路の軸方向に凸設された嵌合凸条を有する一方、担体固定部材が、固定曲面に、嵌合凹部を有するように構成される場合、当該嵌合凸条と当該嵌合凹部とを嵌合させることにより固定してもよい。
【００９９】
［第４実施形態］
図２５は、第４実施形態の管路内浄化装置の模式的断面図であり、第１実施形態の図４に対応する。図２６は、図２５の担体固定部材の模式的外観斜視図であり、第１実施形態の図５に対応する。
【０１００】
図２５に示す管路内浄化装置１００ｋは、セパレータ２００ｋ（湾曲部材２１０ｋおよび仕切部材２５０）と、担体固定部材３００ｋと、担体４００とを含む。図２５に示す湾曲部材２１０ｋは、凹曲面２１１ｋに嵌合凸条２１３ｋが突設されていることを除いて、第１実施形態の湾曲部材２１０と同じである。図２６に示す担体固定部材３００ｋは、固定曲面３２１ｋに嵌合凹部３２３ｋが刻設されていることを除いて、第１実施形態の担体固定部材３００と同じである。
【０１０１】
嵌合凸条２１３ｋは、湾曲部材２１０ｋの延在方向に並行して複数対列設されている。嵌合凸状２１３ｋは、担体固定部材３００ｋの嵌合凹部３２３ｋと嵌合係止可能な形状に形成されている。したがって、担体固定部材３００ｋは、嵌合凹部３２３ｋを湾曲部材２１０ｋの嵌合凸条２１３ｋに嵌合係止させることによって固定される。
【０１０２】
本実施形態では、嵌合凸条２１３ｋと嵌合凹部３２３ｋとは、構造上、着脱可能な形状に構成されている。このため、湾曲部材２１０ｋの凹曲面２１１ｋと担体固定部材３００ｋの固定曲面３２１ｋとの間に接着剤を必要としない。しかし、本実施形態では、湾曲部材２１０ｋへの担体固定部材３００ｋの固定に接着剤を補助的に用いることを特に除外しない。
【０１０３】
なお、本実施形態の変形態様として、湾曲部材２１０ｋに嵌合凹条が刻設され、担体固定部材３００ｋに嵌合凸部が突設され、嵌合凹条と嵌合凸部とを嵌合係止させることによって担体固定部材３００ｋが湾曲部材２１０ｋに固定されていてもよい。
【０１０４】
また、本実施形態では、担体固定部材３００ｋの形状を第１実施形態の担体固定部材３００の形状をベースにしたが、上記の第１から第８変形例の担体固定部材３００ａ，３００ｂ，３００ｃ，３００ｄ，３００ｅ，３００ｆ，３００ｇ，３００ｈなどをベースにした形状であってもよい。
【０１０５】
［第５実施形態］
図２７は、第５実施形態の管路内浄化装置の模式的断面図であり、第１実施形態の図４に対応する。
【０１０６】
図２７に示す管路内浄化装置１００ｌは、セパレータ２００ｌ（湾曲部材２１０ｌおよび仕切部材２５０）と、担体固定部材３００ｌと、担体４００ｌとを含む。担体固定部材３００ｌは、樹脂製のビスである。湾曲部材２１０ｌは、ビス孔を有することを除いて、第１実施形態の湾曲部材２１０と同じである。湾曲部材２１０ｌのビス孔は、担体固定部材３００ｌのビス山が螺合可能となるように形成されている。さらに、担体４００ｌにも、ビス孔が穿設されている。
【０１０７】
このような構成により、担体４００ｌが担体固定部材３００ｌによって湾曲部材２１０ｌに固定される。本実施形態では、担体固定部材３００ｌによって機械的に湾曲部材２１０ｌに固定されるため、接着剤を必ずしも要しない。しかしながら、安定的な固定のため、担体４００ｌ表面と湾曲部材２１０ｌの凹曲面２１１ｌとの間に接着剤を介していることが好ましい。
【０１０８】
［第６実施形態］
図２８は、第６実施形態の管路内浄化装置の模式的断面図であり、第１実施形態の図４に対応する。図２８に示す管路内浄化装置１００ｍは、セパレータ２００ｍ（湾曲部材２１０iおよび仕切部材２５０）と、担体４００とを含み、担体固定部材は含まない。担体４００は、湾曲部材２１０iの凹曲面２１１iに接着剤によって直接的に固定される。接着剤は、湾曲部材２１０iの材質と担体４００の材質とを考慮し、当業者が適宜決定することができる。たとえば、スチレン−ブタジエンを主成分とするゴム質接着剤、溶剤系接着剤などが挙げられる。
【０１０９】
本実施形態においては、湾曲部材２１０iに支持部２１８iが形成されているため、担体４００の下方端面を衝止することができる。これによって、接着剤による固定を補助することができる。しかし、湾曲部材として、第１実施形態の湾曲部材２１０を代わりに適用することを特に除外しない。
【０１１０】
［第７実施形態］
図２９は、第７実施形態の管路内浄化装置の模式的断面図であり、第１実施形態の図４に対応する。図２９に示す管路内浄化装置１００nは、セパレータ２００n（湾曲部材２１０および仕切部材２５０n）と、担体固定部材３００と、担体４００とを含む。
【０１１１】
仕切部材２５０nは、管路９１０の半径より大きい曲率半径を有する単一の曲面を有する湾曲板状形状を有する。仕切部材２５０nは、上記第１から第６実施形態の透水孔２５４と同様に、透水孔２５４nが穿設された有孔部材である。セパレータ２００nの最上点の水平位置の、当該軸心Ｏの水平位置からの落差Ｅ、および浄化部９１１の最狭部の高さＮも、上述の実施形態と同様に設定される。
【０１１２】
なお、本実施形態では、担体固定部材として第１実施形態の担体固定部材３００を挙げて説明したが、上記の第１，２，４，５，６変形例の担体固定部材３００ａ，３００ｂ，３００ｄ，３００ｅ,３００ｆなどを代わりに適用してもよい。
また、本実施形態の仕切部材２５０nは、上記の第１から第６実施形態において仕切部材２５０の代わりに適用されてもよい。
【０１１３】
［第８実施形態］
図３０は、第８実施形態の管路内浄化装置の模式的断面図であり、第１実施形態の図４に対応する。図３０に示す管路内浄化装置１００pは、セパレータ２００p（湾曲部材２１０pおよび仕切部材２５０p）と、担体固定部材３００と、担体４００とを含む。
【０１１４】
湾曲部材２１０pは、嵌合部２１７pを有することを除いて、上記の第１実施形態の湾曲部材２１０と同様である。嵌合部２１７pは、凸曲面２１２pに突設された雄型に形成されており、後述の仕切部材２５０pの雌型に形成された嵌合部２５７pに嵌着させられている。嵌合部２１７pがこのように構成されることにより、製造過程で湾曲部材２１０pがスタックされた時に、湾曲部材２１０pが変形しにくい。
【０１１５】
このように、本実施形態では、嵌合部２１７pと嵌合部２５７pとが、構造上、着脱可能な形状に構成されている。このため、湾曲部材２１０pと仕切部材２５０pとの結合には接着剤を必要としない。しかし、本実施形態では、湾曲部材２１０pと仕切部材２５０pとの結合に接着剤を補助的に用いることを特に除外しない。
【０１１６】
なお、本実施形態では、担体固定部材として第１実施形態の担体固定部材３００を挙げて説明したが、上記の第１から第８変形例の担体固定部材３００ａ，３００ｂ，３００ｃ，３００ｄ，３００ｅ，３００ｆ，３００ｇ，３００ｈなどを代わりに適用してもよい。
また、本実施形態では、湾曲部材２１０pの形状は、第１実施形態の湾曲部材２１０の形状をベースにしたが、上記の第２，３実施形態の湾曲部材２１０i，２１０ｊをベースにしてもよい。
さらに、本実施形態では、仕切部材２５０pの形状は、第１実施形態の仕切部材２５０の形状をベースにしたが、上記の第７実施形態の仕切部材２５０nの形状をベースにしてもよい。
【０１１７】
［第９実施形態］
図３１は、第９実施形態の管路内浄化装置の模式的断面図であり、第１実施形態の図４に対応する。図３１に示す管路内浄化装置１００ｑは、セパレータ２００ｑ（湾曲部材２１０ｑおよび仕切部材２５０ｑ）と、担体固定部材３００と、担体４００とを含む。
【０１１８】
湾曲部材２１０ｑは、嵌合部の代わりに接着面２１９ｑを有することを除いて、上記の第１実施形態の湾曲部材２１０と同じである。仕切部材２５０ｑは、嵌合部の代わりに接着面２５９ｑを有することを除いて、上記の第１実施形態の仕切部材２５０と同じである。湾曲部材２１０ｑと仕切部材２５０ｑとは、接着面２１９ｑと接着面２５９ｑとが接着剤によって接着されることによりセパレータ２００ｑを構成する。
【０１１９】
なお、本実施形態では、担体固定部材として第１実施形態の担体固定部材３００を挙げて説明したが、上記の第１から第８変形例の担体固定部材３００ａ，３００ｂ，３００ｃ，３００ｄ，３００ｅ，３００ｆ，３００ｇ，３００ｈなどを代わりに適用してもよい。
また、本実施形態では、湾曲部材２１０ｑの形状は、第１実施形態の湾曲部材２１０の形状をベースにしたが、上記の第２，３実施形態の湾曲部材２１０i，２１０ｊをベースにしてもよい。
さらに、本実施形態では、仕切部材２５０ｑの形状は、第１実施形態の仕切部材２５０の形状をベースにしたが、上記の第７実施形態の仕切部材２５０nの形状をベースにしてもよい。
【０１２０】
［実施形態および変形例における各部と請求項の各構成要素との対応関係］
実施形態および変形例における管路内浄化装置１００，１００ａ，〜，１００ｑは、請求項における「管路内浄化装置」に相当し、湾曲部材２１０，２１０i，〜，２１０ｑは「湾曲部材」に相当し、凹曲面２１１，２１１i，２１１ｊ，２１１ｋ，２１１ｌは「凹曲面」に相当し、２１２，２１２pは「（管路の内壁面の一部に沿う）曲面」に相当し、仕切部材２５０，２５０n，２５０p，２５０ｑは「仕切部材」および「有孔部材」に相当し、透水孔２５４，２５４nは「孔」に相当し、担体固定部材３００，３００ａ，〜，３００ｈ，３００ｊ，３００ｋ，３００ｌは「担体固定部材」に相当し、担体４００，４００ｇ，４００ｈ，４００ｌは「担体」に相当し、管路内浄化システム９００は「管路内浄化システム」に相当し、管路９１０は「管路」に相当し、軸心Ｏは「管路の軸心」に相当する。
【０１２１】
本発明の好ましい実施形態は上記の通りであるが、本発明はそれらのみに限定されるものではなく、本発明の趣旨と範囲とから逸脱することのない様々な実施形態が他になされる。さらに、本実施形態において述べられる作用および効果は一例であり、本発明を限定するものではない。
【符号の説明】
【０１２２】
１００，１００ａ，〜，１００ｑ  管路内浄化装置
２１０，２１０i，〜，２１０ｑ  湾曲部材
２１１，２１１i，２１１ｊ，２１１ｋ，２１１ｌ  凹曲面
２１２，２１２p  凸曲面
２５０，２５０n，２５０p，２５０ｑ  仕切部材
２５４，２５４n  透水孔
３００，３００ａ，〜，３００ｈ，３００ｊ，３００ｋ，３００ｌ  担体固定部材
４００，４００ｇ，４００ｈ，４００ｌ  担体
９００  管路内浄化システム
９１０  管路
Ｏ  （管路の）軸心
【図１】
0006412387.tif 000002
【図２】
0006412387.tif 000003
【図３】
0006412387.tif 000004
【図４】
0006412387.tif 000005
【図５】
0006412387.tif 000006
【図６】
0006412387.tif 000007
【図７】
0006412387.tif 000008
【図８】
0006412387.tif 000009
【図９】
0006412387.tif 000010
【図１０】
0006412387.tif 000011
【図１１】
0006412387.tif 000012
【図１２】
0006412387.tif 000013
【図１３】
0006412387.tif 000014
【図１４】
0006412387.tif 000015
【図１５】
0006412387.tif 000016
【図１６】
0006412387.tif 000017
【図１７】
0006412387.tif 000018
【図１８】
0006412387.tif 000019
【図１９】
0006412387.tif 000020
【図２０】
0006412387.tif 000021
【図２１】
0006412387.tif 000022
【図２２】
0006412387.tif 000023
【図２３】
0006412387.tif 000024
【図２４】
0006412387.tif 000025
【図２５】
0006412387.tif 000026
【図２６】
0006412387.tif 000027
【図２７】
0006412387.tif 000028
【図２８】
0006412387.tif 000029
【図２９】
0006412387.tif 000030
【図３０】
0006412387.tif 000031
【図３１】
0006412387.tif 000032